(57)【要約】      （修正有）【課題】危険物質の検出のための労力を軽減し、迅速、かつ、効率的に危険物質を検出することができる危険物検出装置および危険物検出方法を提供する。【解決手段】切符基材９と、溶媒１８とを備えた切符１０であって、前記溶媒１８が、切符表面の少なくとも一部を構成し、切符利用者に付着した危険物質を移し取って保持する部分である切符１０を提供する。【選択図】図２
2008064618.tif 000002
【特許請求の範囲】
【請求項１】
基材と、
採取部分とを備えた切符であって、
前記採取部分が、切符表面の少なくとも一部を構成し、切符利用者に付着した危険物質を移し取って保持する部分である切符。
【請求項２】
前記採取部分が、溶媒からなる請求項１に記載の切符。
【請求項３】
前記採取部分が、凹凸または繊維質からなる請求項１に記載の切符。
【請求項４】
前記採取部分が、砥粒からなる請求項１に記載の切符。
【請求項５】
前記基材と前記採取部分との間に、前記基材と前記採取部分との分離を容易にする中間層を設けた請求項２または請求項４に記載の切符。
【請求項６】
切符と該切符に付着した物質とを分離する分離手段と、
前記物質を回収する回収手段と、
前記物質を定性分析計に送る移送手段とを備えた危険物検出装置。
【請求項７】
前記危険物検出装置が、自動改札機である請求項６に記載の危険物検出装置。
【請求項８】
切符と該切符に付着した物質とを分離する分離工程と、
前記物質を回収する回収工程と、
前記物質を定性分析計に送る移送工程とを備えた危険物検出方法。
【請求項９】
基材と採取部分とを備え、該採取部分が切符表面の少なくとも一部を構成し、切符利用者に付着した危険物質を移し取って保持する切符と、
前記切符と該切符に付着した物質とを分離する分離手段と、
前記物質を回収する回収手段と、
前記物質を定性分析計に送る移送手段とを備えた危険物検出装置と
を具備する危険物検出システム。
【発明の詳細な説明】
【技術分野】
【０００１】
本発明は、危険物検出装置に関するものである。
【背景技術】
【０００２】
一般に、空港内や公共施設内に危険物が持ち込まれることを防止する危険物検出装置として、検査対象から採取した試料を加熱・気化することにより危険物を検出する技術が知られている（特許文献１参照）。
【特許文献１】特開２００４−３０１４７９号公報
【発明の開示】
【発明が解決しようとする課題】
【０００３】
しかしながら、上述したような従来の危険物の検出技術では、試料となる爆発物の粉末等が付着していると考えられる箇所、例えばパソコンのキーボードや鞄のハンドル等を検査片で拭き取ることにより試料を採取し、検査片等ごとに試料を加熱・気化して検出するため、連続で検出をすることができないという不都合が生じる。そのため、検出に労力と時間を要することとなり、大量の検査を短時間で行うことができないという問題がある。
【０００４】
本発明は、このような事情に鑑みてなされたものであって、危険物質の検出のための労力を軽減し、迅速、かつ、効率的に危険物質を検出することができる危険物検出装置および危険物検出方法を提供することを目的とする。
【課題を解決するための手段】
【０００５】
上記課題を解決するために、本発明の危険物検出装置および危険物検出方法は以下の手段を採用する。
本発明は、基材と、採取部分とを備えた切符であって、前記採取部分が、切符表面の少なくとも一部を構成し、切符利用者に付着した危険物質を移し取って保持する部分である切符を提供する。
【０００６】
本発明によれば、切符を基材と前記特性を有する採取部分とで構成したので、切符利用者が切符を持つ際に切符表面の採取部分に触れることにより、切符利用者の指表面の指紋に付着している粉末物質等が採取部分に移し取られる。したがって、切符利用者が切符を触る前に爆薬物等を扱っていた場合には、切符利用者の指表面に付着している爆薬物の粉末等が切符表面の採取部分に採取される。これにより、基材に採取部分を設けただけの簡易な構成により、すべての切符利用者を検査することができる。また、切符利用者が切符に触るだけの簡易な方法により、危険物質を回収することができる。その結果、危険物質の検出を迅速、かつ、効率的に行うことができる。
【０００７】
また、上記発明においては、前記採取部分を溶媒としてもよい。
このように構成することで、切符利用者の指表面に付着している粉末物質等が切符表面の溶媒に取り込まれることにより、採取効率が向上される。したがって、切符を触る前に爆薬物等を扱っていた切符利用者から、爆薬物の粉末等を効率的に採取することができる。また、危険物質を取り込んだ溶媒ごと検出作業を行うことにより、危険物質を迅速に検出することができる。
【０００８】
また、上記発明においては、前記採取部分を凹凸または繊維質としてもよい。
このように構成することで、切符利用者の指表面の指紋の隙間に挟まった粉末物質等が切符表面の凹凸または繊維質によって掻き出されることにより、採取効率が向上される。これにより、切符を触る前に爆薬物等を扱っていた切符利用者から、爆薬物の粉末等を効率的に採取することができる。また、危険物質を切符表面の凹凸または繊維質に付着させることにより、危険物質の回収を容易にし、迅速に検出することができる。
【０００９】
また、上記発明においては、前記採取部分を砥粒としてもよい。
このように構成することで、切符利用者の指表面の指紋の隙間に挟まった粉末物質等が切符表面の砥粒によって掻き出されることにより、採取効率が向上される。これにより、切符を触る前に爆薬物等を扱っていた利用者から、爆薬物の粉末等を効率的に採取することができる。また、危険物質を切符表面の砥粒に付着させることにより、危険物質の回収を容易にし、迅速に検出することができる。
【００１０】
また、上記発明においては、前記基材と前記採取部分との間に、前記基材と前記採取部分との分離を容易にする中間層を設けることとしてもよい。
このように構成することで、採取部分を基材から容易に分離させることができ、採取部分とともに採取部分に付着した危険物質を容易に回収することができる。これにより、切符表面を傷付けることなく危険物質を回収することができるとともに、危険物質の回収効率を向上させることができる。
【００１１】
また、本発明は、切符と該切符に付着した物質とを分離する分離手段と、前記物質を回収する回収手段と、前記物質を定性分析計に送る移送手段とを備えた危険物検出装置を提供する。
【００１２】
本発明によれば、切符に付着した物質が、分離手段により切符から分離され、回収手段により回収される。また、回収された物質が移送手段により定性分析計に送られて、定性分析される。したがって、切符に爆薬物の粉末等の危険物質が付着している場合には、これを検出することができる。これにより、切符利用者が切符に触るだけの簡易な方法により、切符に付着している危険物質を回収することができ、迅速、かつ、効率的に危険物質を検出することができる。
【００１３】
また、上記発明においては、前記危険物検出装置を自動改札機としてもよい。
このように構成することで、切符利用者が爆薬物の粉末等の付着した切符を自動改札機に通すだけの簡易な方法により、迅速、かつ、効率的に危険物質を検出することができる。また、危険物質の検出のための労力を軽減し、かつ、すべての切符利用者等を効率的に検査することができる。
【００１４】
また、本発明は、切符と該切符に付着した物質とを分離する分離工程と、前記物質を回収する回収工程と、前記物質を定性分析計に送る移送工程とを備えた危険物検出方法を提供する。
【００１５】
本発明によれば、切符に付着した物質が、分離工程により切符から分離され、回収工程により回収される。また、回収された物質が移送工程を介して定性分析計に送られて、定性分析される。したがって、切符に爆薬物の粉末等の危険物質が付着している場合には、これを検出することができる。これにより、切符利用者が切符に触るだけの簡易な方法により、切符に付着している危険物質を回収することができ、迅速、かつ、効率的に危険物質を検出することができる。
【００１６】
また、本発明は、基材と採取部分とを備え、該採取部分が切符表面の少なくとも一部を構成し、切符利用者に付着した危険物質を移し取って保持する切符と、前記切符と該切符に付着した物質とを分離する分離手段と、前記物質を回収する回収手段と、前記物質を定性分析計に送る移送手段とを備えた危険物検出装置とを具備する危険物検出システムを提供する。
【００１７】
本発明によれば、切符が、基材の表面の少なくとも一部に採取部分が設けられた構成となっているので、切符利用者が切符を持つ際に切符表面の採取部分に触れることにより、切符利用者の指表面の指紋に付着している粉末物質等が採取部分に移し取られる。また、切符に付着した物質が、分離手段により切符から分離され、回収手段により回収される。また、回収された物質が移送手段により定性分析計に送られて、定性分析される。
したがって、切符利用者が切符を触る前に爆薬物等を扱っていた場合には、切符利用者の指表面に付着している爆薬物の粉末等を切符表面の採取部分に採取することができる。また、この切符から、爆薬物の粉末等を回収して、危険物質を検出することができる。
【００１８】
これにより、基材に採取部分を設けただけの簡易な構成により、すべての切符利用者を検査することができる。また、切符利用者が切符に触るだけの簡易な方法により、切符に付着している危険物質を回収することができる。その結果、危険物質の検出のための労力を軽減し、迅速、かつ、効率的に危険物質を検出することができる。
【発明の効果】
【００１９】
本発明によれば、切符利用者が切符に触るだけの簡易な方法により、危険物質の検出のための労力を軽減して、すべての切符利用者を検査することができ、迅速、かつ、効率的に危険物質を検出することができるという効果を奏する。
【発明を実施するための最良の形態】
【００２０】
以下に、本発明に係る実施形態について、図面を参照して説明する。
本発明において、切符基材（基材）とは、例えば、従来の切符に相当するものであって、移動手段に用いる切符基材の他、例えば、比接触型ＩＣカードやプリペイドカード等を含むものとしてよい。また、例えば、公共施設への入場手段として用いるチケット等も含むものとしてよい。
また、検出の対象となる危険物質とは、例えば、トリニトロトルエン、トリアセトントリパーオキサイド、ニトログリセリン、ＲＤＸ、ＰＥＴＮ等の爆発物および２，３−ジメチル−２，３−ジニトロブタン等の爆発物検知剤としてもよい。
【００２１】
また、採取手段として用いられる溶媒とは、前記危険物質を溶解または分散させる液体であって、例えば、水、アセトン、アルコール類（メタノール、エタノール、イソプロピルアルコール等）としてもよい。
また、採取手段として用いられる砥粒とは、前記危険物質を付着させる、例えば、一般にクレンジング剤として用いられるものであって、例えば、アルミナなどのセラミックス等としてもよい。
また、分析計として、真空紫外光イオン化イオントラップ飛行時間型質量分析計（ＶＵＶ‐ＳＰＩ‐ＩＴ‐ＴＯＦＭＳ）を用いることとしてよい。
【００２２】
［第一実施形態］
以下、本発明の第一実施形態に係る切符について、図面を参照して説明する。
本実施形態に係る切符１０は、切符基材９の表面の少なくとも一部に溶媒１８を塗布したものである（図２（ｂ）参照）。例えば、図１（ａ）および図１（ｂ）に示すように、スプレー装置１１や刷毛１２により切符基材９に溶媒を塗布することとしてもよい。また、切符１０に溶媒を染み込ませた層を持たせることとしてもよい。
【００２３】
このように構成された、本実施形態に係る切符１０の作用について説明する。
まず、切符利用者が切符１０を購入する際に、例えば、発券機（図示せず）において、切符基材９の表面に溶媒１８が塗布される。これにより、図２（ａ）および図２（ｂ）に示すように、切符利用者が切符１０を持つ際に、指１４に付着している物質１６が溶媒１８に移し取られて保持される。したがって、例えば、切符１０に触れる前に切符利用者が爆薬物等を扱っていた場合には、爆薬物の粉末等の危険物質が溶媒１８に採取される。
【００２４】
次に、図２（ｂ）および図３（ａ）に示すように、切符１０が自動改札機１３に挿入されると、切符１０の溶媒１８に保持されている物質１６が回収されて、定性分析計１５により、定性分析される。これにより、物質１６に爆薬物の粉末等の危険物質が含まれている場合には、危険物質が検出される。
【００２５】
なお、上述した切符基材９に溶媒１８を塗布する方法は一例にすぎず、これに代えて、例えば、予めゲル状の溶媒１８を切符基材９の表面に塗布して、剥離紙等により、その表面を覆うこととしてもよい。これにより、切符１０が使用される際に剥離紙等を剥がすだけの簡易な方法により、溶媒１８を備えた切符１０を使用することができる。
【００２６】
また、図２（ｂ）および図３（ｂ）に示すように、例えば、前売券や比接触型ＩＣカード等の切符基材９の場合には、自動改札機１３（図３（ａ）参照）の前に設置される装置１７に切符基材９を挿入することによりに、切符基材９の表面に溶媒１８が塗布されることとしてもよい。これにより、切符基材９が利用者によって予め所有されるものであっても、切符基材９を使用する際に溶媒１８を塗布することができる。また、これを自動改札機１３に通すことにより、切符利用者の指１４に付着している物質１６を移し取り、定性分析を行うことができる。
【００２７】
以上説明したように、本実施形態に係る切符１０によれば、図２（ｂ）に示すように、切符基材９に溶媒１８を塗布するだけの簡易な構成により、すべての切符利用者の指に付着している物質１６を採取することができ、採取効率を向上させることができる。また、切符１０を触る前に爆薬物等の危険物質を扱っていた切符利用者の切符１０を自動改札機１３（図３（ａ）参照）に挿入するだけの簡易な方法により、切符利用者の指１４に付着している危険物質を回収して、定性分析を行うことができる。また、揮発性の高い溶媒１８を用いることにより、定性分析の際に溶媒１８が蒸発されるので、危険物質の検出の妨害を防ぐことができる。これにより、危険物質の検出のための労力を軽減して、すべての切符利用者を検査することができ、迅速、かつ、効率的に危険物質を検出することができる。
【００２８】
［第二実施形態］
次に、本発明の第二実施形態に係る切符について、図面を参照して説明する。
図４（ｂ）または図５（ｂ）にそれぞれ示すように、本実施形態に係る切符２０または切符２１は、採取部分の構成が上述した第一実施形態に係る切符１０と異なっている。
以下、第一実施形態と共通する点については説明を省略し、異なる点についてのみ説明する。
本実施形態に係る切符２０は、切符基材１９の表面の少なくとも一部に凹凸２８を備えている。また、切符２１は、切符基材１９の表面の少なくとも一部が繊維質でできたワイプ層２９を備えている。
【００２９】
このように構成された、本実施形態に係る切符２０および切符２１の作用について説明する。
まず、切符利用者が切符２０を購入する際には、例えば、発券機等において、切符基材１９の表面に物理的凹凸が型押しされる。これにより、図４（ａ）および図４（ｂ）に示すように、切符利用者が切符２０を持つ際に、特に、指２４の指紋に挟まっている物質２６の粉末等が、効率的に凹凸２８に掻き出されて、切符２０の表面に保持される。
また、切符利用者が切符２１を購入する際には、例えば、発券機等において、切符基材１９に繊維状の層が設けられる。これにより、図５（ａ）および図５（ｂ）に示すように、切符利用者が切符２１を持つ際に、特に、指２４の指紋に挟まっている物質２６の粉末等が、効率的にワイプ層２９に掻き出されて、切符２１の表面に保持される。
したがって、例えば、切符２０または切符２１に触る前に切符利用者が爆薬物等を扱っていた場合には、指紋に挟まっている爆薬物の粉末等も効率的に採取される。
【００３０】
以上説明したように、本実施形態に係る切符２０または切符２１によれば、図４（ｂ）または図５（ｂ）に示すように、切符利用者の指２４の指紋に挟まっている粉末状の物質２６を効率的に切符表面に移し取ることができ、採取効率をより向上させることができる。
また、試薬等を使用することなく、切符利用者の指２４に付着した物質２６を物理的に移し取るため、切符２０または切符２１の取り扱いを容易にすることができる。
また、余分な蒸発物質がないため、危険物質を検出する際のノイズを減少させることができる。
【００３１】
［第三実施形態］
次に、本発明の第三実施形態に係る切符について、図面を参照して説明する。
図６（ｂ）に示すように、本実施形態に係る切符３０は、採取部分の構成が上述した第一実施形態に係る切符１０と異なっている。
以下、第一実施形態と共通する点については説明を省略し、異なる点についてのみ説明する。
本実施形態に係る切符３０は、切符基材２９の表面の少なくとも一部に砥粒３８を備えている。なお、砥粒３８の粒径は、一般的に、指３４の指紋の溝幅（約５００μｍ）より小さい径が望ましい。
【００３２】
このように構成された、本実施形態に係る切符３０の作用について説明する。
まず、切符利用者が切符３０を購入する際に、例えば、発券機において、切符基材２９の表面に砥粒３８が塗布される。これにより、図６（ａ）および図６（ｂ）に示すように、切符利用者が切符３０を持つ際に、特に、指３４の指紋に挟まっている物質３６の粉末等が、効率的に砥粒３８に掻き出されて、切符３０の表面に保持される。したがって、例えば、切符３０に触る前に切符利用者が爆薬物等を扱っていた場合には、指紋に挟まっている爆薬物の粉末等も効率的に採取される。
【００３３】
以上説明したように、本実施形態に係る切符３０によれば、図６（ｂ）に示すように、切符利用者の指３４の指紋に挟まっている粉末状の物質３６を効率的に切符表面に移し取ることができ、採取効率をより向上させることができる。
また、砥粒３８の材料に、蒸気圧が殆どない物質（例えば、アルミナなどのセラミックス）を用いることにより、危険物質を検出する際のノイズを減少させることができる。
【００３４】
［第四実施形態］
次に、本発明の第四実施形態に係る切符について、図面を参照して説明する。
図７（ｃ）に示すように、本実施形態に係る切符４４は、切符基材４０と溶媒４３との間の構成が上述した第一実施形態に係る切符１０と異なっている。
以下、第一実施形態と共通する点については説明を省略し、異なる点についてのみ説明する。
【００３５】
本実施形態に係る切符４４は、図７（ａ）〜図７（ｃ）に示すように、切符基材４０の表面に、切符基材４０と溶媒４３との分離を容易にする中間層４１を備えている。また、切符４４は、中間層４１の表面の少なくとも一部に溶媒４３備えている。
なお、中間層４１は、この上に塗布する溶媒４３を容易に分離させることができる、例えば、フッ素樹脂や、疎油性（親水性）材料の物質であることが望ましい。
【００３６】
次に、上述した本実施形態に係る切符４４の作用について説明する。
図８（ａ）に示すように、切符利用者が切符４４を持つ際に、特に、指４６の指紋に挟まっている物質４７の粉末等が、効率的に切符４４の表面の溶媒４３に移し取られて保持される。したがって、例えば、切符４４に触る前に切符利用者が爆薬物等を扱っていた場合には、指紋に挟まっている爆薬物の粉末等も効率的に採取される。
【００３７】
また、図８（ｂ）に示すように、切符４４の表面が、例えば、加熱用ランプ４８または加熱用ヒータ（図示せず）等によって加熱されることにより、中間層４１から溶媒４３が容易に分離されて、物質４７が溶媒４３ごと気化される。これにより、気化した溶媒４３および物質４７が、サンプリング管４９にサンプリングされる。
【００３８】
また、上記加熱の代わりに、アルコール蒸気（例えば、スプレー等）により、中間層４１から溶媒４３を容易に分離させて、溶媒４３および物質４７を剥ぎ取り、サンプリング管４９にサンプリングすることとしてもよい。
また、エアブロアーにより、中間層４１から溶媒４３を容易に分離させて、溶媒４３および物質４７を吹き飛ばし、サンプリング管４９にサンプリングすることとしてもよい。
【００３９】
以上説明したように、本実施形態に係る切符４４によれば、図８（ａ）に示すように、切符基材４０と溶媒４３との間に中間層４１を設けることにより、溶媒４３および物質４７を切符基材４０から容易に分離させることができる。
また、図８（ｂ）に示すように、例えば、加熱用ランプ４８やアルコール蒸気、またはエアブロアー等により、物質４７を溶媒４３ごとサンプリングすることにより、サンプリング効率を向上させることができる。
また、図７（ｂ）に示すように、中間層４１を切符基材４０の表面にコーティングすることにより、切符基材４０、特に、切符基材４０の表面の印字や記録情報等を加熱や薬剤から保護することができる。
【００４０】
［第五実施形態］
次に、本発明の第五実施形態に係る切符について、図面を参照して説明する。
図９（ｃ）に示すように、本実施形態に係る切符５４は、切符基材５０と砥粒５３との間の構成が上述した第一実施形態に係る切符１０と異なっている。
以下、第一実施形態と共通する点については説明を省略し、異なる点についてのみ説明する。
【００４１】
本実施形態に係る切符５４は、図９（ａ）〜図９（ｃ）に示すように、切符基材５０表面に、切符基材５０と砥粒５３との分離を容易にする中間層５１を備えている。また、切符５４は、中間層５１の表面の少なくとも一部に砥粒５３備えている。
なお、中間層５１は、この上に塗布する砥粒５３を容易に分離させることができる、例えば、フッ素樹脂や、疎油性（親水性）材料の物質が望ましい。
【００４２】
次に、上述した本実施形態に係る切符５４の作用について説明する。
図１０（ａ）に示すように、切符利用者が切符５４を持つ際に、特に、指５６の指紋に挟まっている物質５７の粉末等が、効率的に砥粒５３に掻き出されて、切符５４の表面に保持される。したがって、例えば、切符５４に触れる前に切符利用者が爆薬物等を扱っていた場合には、指紋に挟まっている爆薬物の粉末等も効率的に採取される。
【００４３】
また、図１０（ｂ）に示すように、切符５４の表面が、例えば、加熱用ランプ５８または加熱用ヒータ（図示せず）等により、加熱されることで、中間層５１から砥粒５３が容易に分離されて、物質５７が砥粒５３ごと気化される。これにより、気化した砥粒５３および物質５７が、サンプリング管５９にサンプリングされる。
【００４４】
また、上記加熱の代わりに、アルコール蒸気（例えば、スプレー等）により、中間層５１から砥粒５３を容易に分離させて、砥粒５３および物質５７を剥ぎ取り、サンプリング管５９にサンプリングすることとしてもよい。
また、エアブロアーにより、中間層５１から溶媒５３を容易に分離させて、砥粒５３および物質５７を吹き飛ばし、サンプリング管５８にサンプリングすることとしてもよい。
【００４５】
以上説明したように、本実施形態に係る切符５４によれば、図１０（ａ）に示すように、切符基材５０と砥粒５３との間に中間層５１を設けることにより、砥粒５３および物質５７を切符基材５０から容易に分離させることができる。
また、砥粒５３の材料に、蒸気圧が殆どない物質（例えば、アルミナなどのセラミックス）を用いることにより、危険物質を検出する際のノイズを減少させることができる。
【００４６】
また、図１０（ｂ）に示すように、例えば、加熱用ランプ５８やアルコール蒸気、またはエアブロアー等により、物質５７を砥粒５３ごとサンプリングすることにより、サンプリング効率を向上させることができる。
また、図９（ｂ）に示すように、中間層５１を切符基材５０の表面にコーティングすることにより、切符基材５０、特に、切符基材５０の表面の印字や記録情報等を加熱や薬剤から保護することができる。
【００４７】
［第六実施形態］
次に、本発明の第六実施形態に係る危険物検出装置について、図１１を参照して説明する。
本実施形態に係る危険物検出装置６１は、切符６０と該切符６０に付着した物質（図示
せず）とを分離させるキャリアガスを噴出するキャリアガスノズル（分離手段）６３と、前記分離した物質を回収する吸引ノズル（回収手段）６４と、該吸引ノズル６４を加熱するヒータ６９´と、前記回収した物質を定性分析計６８に送る移送管６５と、切符６０をサンプリング空間へ輸送するローラ６２と、該ローラ６２を加熱するヒータ６９と、前記キャリアガスを浄化するフィルタ６６と、前記キャリアガスを加熱するオーブン６７とを備えている。なお、本実施形態において、サンプリング空間とは、切符６０を加熱する部分、および、切符６０の表面に付着する物質を吸引する部分等をいう。
【００４８】
キャリアガスノズル６３は、ローラ６２により輸送されてくる切符６０に向けてキャリアガスを噴出して、切符６０の表面に付着する物質を気化するようになっている。
なお、ローラ６２の表面は、石英で覆われていることが望ましい。これにより、切符６０を輸送する際に、切符６０の表面に付着する物質が、ローラ６２の表面に付着することを防止することができる。
【００４９】
また、ローラ６２は、ヒータ６９により加熱され、切符６０をサンプリング空間へ輸送する際に切符６０の表面を加熱するようになっている。
吸引ノズル６４は、ヒータ６９´により加熱され（サンプリング空間内の温度以上が望ましい。）、気化した物質蒸気を吸引して、移送管６５へ送るようになっている。
移送管６５は、前記吸引された物質を定性分析計６８へ移送するようになっている。
なお、移送管６５および定性分析計６８は、加熱されていることが望ましい。
また、上記の各ヒータにおいて、加熱温度は、８０℃以上２００℃以下が望ましい。８０℃未満では、危険物質によっては検出しにくいので好ましくない。また、２００℃を超えると、危険物質によっては分解してしまうので好ましくない。
【００５０】
次に、上述した本実施形態に係る危険物検出装置６１の作用について説明する。
切符６０は、ローラ６２により、サンプリング空間に輸送されると同時に、ローラ６２の熱によって加熱される。このとき、ローラ６２の表面が石英で覆われていることにより、ローラ６２の表面への物質の吸着や物質の分解を防止して、輸送することができる。
【００５１】
また、キャリアガスノズル６３から噴出されるキャリアガスは、予めフィルタ６６によって浄化された後、オーブン６７により、サンプリング空間内の温度以上に加熱される。これにより、切符６０の表面に付着する物質の気化効率を向上させることができる。
また、ローラ６２によって切符６０が加熱されて、サンプリング空間に輸送されると、キャリアガスノズル６３から加熱されたキャリアガスが切符６０へ噴出される。これにより、切符６０の表面に付着している物質が気化されて、物質蒸気が空気の流れに沿って吸引ノズル６４により回収される。
【００５２】
吸引ノズル６４により回収された上記物質蒸気は、移送管６５を介して、定性分析計６８へと移送され、危険物質の検出が行われる。
なお、危険物検出装置６１内のサンプリング空間内、特に、切符６０を加熱する部分または吸引ノズル６４の壁面の材質を石英により構成し、その周りを熱容量が高く、耐熱性に優れる物質（例えば、ステンレス）で覆うことが望ましい。また、上記サンプリング空間内を、例えばヒータ６９´により、予め加熱しておくことが望ましい。これにより、切符６０の表面に付着する物質の蒸気圧を高め、サンプリングし易くすることができる。また、切符６０を出し入れする際に危険物検出装置６１内の温度低下を防止することができる。
【００５３】
以上説明したように、本実施形態に係る危険物検出装置６１によれば、切符６０を直接加熱するため、危険物検出装置６１の構成を簡素にすることができ、また、物質の蒸気圧を上げて、物質の回収効率を向上させることができる。
また、上述のように、切符６０の表面に付着する物質を危険物検出装置６１内の表面に吸着させることなく回収することができるので、回収効率を向上させることができる。これにより、サンプリング空間内に前記物質が残存しないので、他の切符の検査の妨げとならず、連続して切符の検査を行うことができる。したがって、危険物質の検出を迅速、かつ、効率的に行うことができる。
【００５４】
［第七実施形態］
次に、本発明の第七実施形態に係る危険物検出装置について、図１２（ａ）および図１２（ｂ）を参照して説明する。
本実施形態に係る危険物検出装置７１は、切符７０と該切符７０に付着した物質（図示
せず）とを分離させる超音波振動子（分離手段）７２と、前記分離した物質を加熱して、その物質蒸気を回収する吸引ノズル（回収手段）７４と、該吸引ノズル７４を加熱するヒータ７９と、前記物質を定性分析計７８へ導入するキャリアガスを噴出するキャリアガスノズル７３と、前記キャリアガスを浄化するフィルタ７６と、前記キャリアガスを加熱するオーブン７７とを備えている。なお、吸引ノズル７４は、加熱容器を兼ねていることとしてもよい。なお、本実施形態において、切符７０の表面から物質を分離させる部分、および、分離した物質を吸引する部分等をサンプリング空間という。
【００５５】
超音波振動子７２は、危険物検出装置７１に挿入された切符７０に、切符７０の表面の両側から超音波振動を与え、切符７０に付着した物質を振るい落とすようになっている。
吸引ノズル７４は、例えば、内表面が石英で覆われており、超音波振動子７２によって振るい落とされた物質を保持するようになっている。また、吸引ノズル７４は、ヒータ７９またはランプ（図示せず）等により加熱されるようになっている。これにより、吸引ノズル７４に保持される物質が気化されるようになっている。なお、吸引ノズル７４は、例えば、表面がフッ素樹脂やガラスウールで覆われていることとしてもよい。
なお、移送管７５および定性分析計７８は、加熱されていることが望ましい。
また、上記の各ヒータにおいて、加熱温度は、８０℃以上２００℃以下が望ましい。８０℃未満では、危険物質によっては検出しにくいので好ましくない。また、２００℃を超えると、危険物質によっては分解してしまうので好ましくない。
【００５６】
次に、上述した本実施形態に係る危険物検出装置７１の作用について説明する。
切符７０が危険物検出装置７１に挿入されると、超音波振動子７２により切符７０に超音波振動が与えられて、切符７０の表面に付着している物質が振るい落とされる。これにより、振るい落とされた物質が吸引ノズル７４に保持される。吸引ノズル７４に保持された物質は、吸引ノズル７４がヒータ７９によって加熱されることにより気化し、物質蒸気となる。
上記物質蒸気は、キャリアガスノズル７３から噴出されるキャリアガスの流れに乗り、移送管７５を介して、定性分析計７８へと導入される。これにより、物質蒸気が定性分析計７８で定性分析されて、危険物質の検出が行われる。
【００５７】
以上説明したように、本実施形態に係る危険物検出装置７１によれば、切符７０に付着した物質を切符７０の表面から振るい落として検出するため、切符７０の本体から放出される、例えば、インク等によるガスが定性分析計７８に流入することを防止し、危険物質の検出の際のノイズ源を低減させることができる。
また、超音波振動子７２により、切符７０と共にサンプリング空間内の側壁に超音波振動が与えられるため、切符７０の表面から分離された物質の粉末等が上記側壁に再付着することを防止することができる。
【００５８】
また、吸引ノズル７４や上記サンプリング空間内の側壁等の表面の材質を石英にすることにより、切符７０から分離した物質が上記側壁等に吸着することを防止することができる。これにより、回収効率を向上させることができるとともに、他の切符の検査の妨げとなることを防止して、連続して切符の検査を行うことができる。したがって、迅速、かつ、効率的に危険物質の検出を行うことができる。また、金属表面では分解の可能性のある物質（例えば、トリアセトントリパーオキサイド等）であっても、分解を抑制して、検出することができる。
また、切符７０の表面を直接加熱しないため、切符７０の表面に耐熱性のコーティング等を施さなくても、切符７０の印字や記録を傷つけずに危険物質の検出を行うことができる。
【００５９】
以上、本発明の各実施形態について図面を参照して詳述してきたが、具体的な構成はこの実施形態に限られるものではない。
【図面の簡単な説明】
【００６０】
【図１】本発明の第一実施形態に係る切符における溶媒塗布を示す図であって、（ａ）はスプレー装置による溶媒塗布を示す図であり、（ｂ）は刷毛による溶媒塗布を示す図である。
【図２】本発明の第一実施形態に係る溶媒を塗布した切符を示す図であって、（ａ）は切符利用者の指と切符を示す図であり、（ｂ）はその拡大図である。
【図３】本発明の第一実施形態に係る危険物検出装置を示す図であって、（ａ）は自動改札機を示す図であり、（ｂ）は自動改札機の前に置かれる装置を示す図である。
【図４】本発明の第二実施形態に係る凹凸を備える切符を示す図であって、（ａ）は切符利用者の指と切符を示す図であり、（ｂ）はその拡大図である。
【図５】本発明の第二実施形態に係る繊維質でできたワイプ層を供える切符を示す図であって、（ａ）は切符利用者の指と切符を示す図であり、（ｂ）はその拡大図である。
【図６】本発明の第三実施形態に係る砥粒を塗布した切符を示す図であって、（ａ）は切符利用者の指と切符を示す図であり、（ｂ）はその拡大図である。
【図７】本発明の第四実施形態に係る切符を示す図である。
【図８】本発明の第四実施形態に係る切符を示す図であって、（ａ）は切符利用者の指と切符を示す図であり、（ｂ）は物質と溶媒の回収を示した図である。
【図９】本発明の第五実施形態に係る切符を示す図である。
【図１０】本発明の第五実施形態に係る切符を示す図であって、（ａ）は切符利用者の指と切符を示す図であり、（ｂ）は物質と溶媒の回収を示した図である。
【図１１】本発明の第六実施形態に係る危険物検出装置の概略構成図である。
【図１２】本発明の第七実施形態に係る危険物検出装置の概略構成図である。
【符号の説明】
【００６１】
９  切符基材（基材）
１０  切符
１６  物質
１８  溶媒
【図１】
2008064618.tif 000003
【図２】
2008064618.tif 000004
【図３】
2008064618.tif 000005
【図４】
2008064618.tif 000006
【図５】
2008064618.tif 000007
【図６】
2008064618.tif 000008
【図７】
2008064618.tif 000009
【図８】
2008064618.tif 000010
【図９】
2008064618.tif 000011
【図１０】
2008064618.tif 000012
【図１１】
2008064618.tif 000013
【図１２】
2008064618.tif 000014